(57)【要約】【課題】鍵盤に関連して設定された各種パラメータを分かり易く表示すること。【解決手段】この電子楽器では、鍵盤１３の近傍に、ＬＥＤ素子などで構成される複数の表示要素Ｄｉｊ（１≦ｉ≦ｍ，１≦ｊ≦ｎ）を、鍵盤１３の全鍵域Ｃ１〜Ｃ６（鍵数ｎ）にわたって、行列状に配置した面状表示器１６が設けられる。ここで、行方向は鍵配列方向Ｋに、列方向は鍵配列方向Ｋと直交する方向に、夫々一致し、各列（ｊ）の表示要素Ｄｉｊは鍵盤１３の各鍵Ｃ１〜Ｃ６に整列している。鍵域分割パラメータ〔ａ〕やキースケーリングパラメータ〔ｂ〕などの鍵域に関連する各種鍵域パラメータが設定されると、設定された鍵域パラメータは面状表示器１６にグラフィック図形で表示される。また、グラフィック図形表示部分以外の空き表示領域には（例：〔ａ〕ｉ＝１〜８領域）、併せて、当該鍵域パラメータに関する情報を文字や数字などの表意図形で表示することもできる。【選択図】図３
2006267686.tif 000002
【特許請求の範囲】
【請求項１】
複数の鍵から成る鍵盤と、
鍵盤の近傍に設けられ、行方向が鍵盤の鍵配列方向に一致し、列方向が鍵盤の鍵配列方向と直交する方向に一致するように、行列状に配置された複数の表示要素から成る面状表示器と、
鍵盤に関連するパラメータを設定するパラメータ設定手段と、
設定されたパラメータを面状表示器上にグラフィック図形で表示する表示手段と
を具備することを特徴とする電子楽器。
【請求項２】
前記表示手段は、前記面状表示器上においてグラフィック図形が表示されていない空き表示領域に、当該グラフィック図形で表わされるパラメータに関する情報を文字及び／又は数字図形で表示することを特徴とする請求項１に記載の電子楽器。
【請求項３】
複数の鍵から成る鍵盤と、鍵盤の近傍に設けられ、行方向が鍵盤の鍵配列方向に一致し、列方向が鍵盤の鍵配列方向と直交する方向に一致するように、行列状に配置された複数の表示要素から成る面状表示器とを具備するコンピュータに、
鍵盤に関連するパラメータを設定するパラメータ設定ステップと、
パラメータ設定ステップで設定されたパラメータを面状表示器上にグラフィック図形で表示する表示ステップと
から成る手順を実行させるパラメータ設定表示プログラム。
【発明の詳細な説明】
【技術分野】
【０００１】
この発明は、鍵盤に関連して設定された各種パラメータを表示する機能を有する電子楽器に関する。
【背景技術】
【０００２】
電子楽器の鍵盤に関連して設定された各種パラメータを表示する従来技術については、例えば、特許文献１や特許文献２に示されるものが知られている。特許文献１に開示された技術によると、電子楽器の鍵盤近傍に設けられた押鍵表示ランプ（ＬＥＤ）に鍵域分割点（キースプリットポイント）が表示される。また、特許文献２の技術では、電子楽器のパネルに設けられたＬＣＤに表示される鍵盤図形や文字を制御して鍵域分割位置や各鍵域に設定されている音色名などの楽音制御パラメータを表示する。
【特許文献１】特開昭６１−１７４５９７号公報
【特許文献２】特開平７−３０６６７９号公報
【０００３】
しかしながら、特許文献１のように、１列に設けられた演奏ガイド用ＬＥＤに鍵域パラメータを表示するものでは、ＬＥＤが鍵盤の近傍に設置されているので鍵盤との対応関係を把握するのは易しいが、１列に並んだ複数のＬＥＤの何れかが点灯又は消灯されるだけで情報量が少ないので、分かり易い表示とはいえない。これに対して、特許文献２のように、パネルのＬＣＤにパラメータを表示するものでは、情報量が多くなるものの、実際の鍵盤との対応関係が把握し難い。
【発明の開示】
【発明が解決しようとする課題】
【０００４】
この発明は、このような事情に鑑み、鍵盤に関連して設定された各種パラメータを分かり易く表示することができる電子楽器を提供することを目的とする。
【課題を解決するための手段】
【０００５】
この発明の主たる特徴に従うと、複数（ｎ）の鍵（Ｃ１〜Ｃ６）から成る鍵盤（１３）と、鍵盤（１３）の近傍に設けられ、行（ｉ）方向が鍵盤（１３）の鍵配列方向（Ｋ）に一致し、列（ｊ）方向が鍵盤（１３）の鍵配列方向（Ｋ）と直交する方向に一致するように、行列状に配置された複数（ｍｎ）の表示要素（Ｄｉｊ：１≦ｉ≦ｍ，１≦ｊ≦ｎ）から成る面状表示器（１６）と、鍵盤（１３）に関連するパラメータ（鍵域パラメータ）を設定するパラメータ設定手段（Ｓ２）と、設定されたパラメータを面状表示器（１６）上にグラフィック図形で表示する表示手段（Ｓ３）とを具備する電子楽器（コンピュータ）〔請求項１〕が提供され、複数（ｎ）の鍵（Ｃ１〜Ｃ６）から成る鍵盤（１３）と、鍵盤（１３）の近傍に設けられ、行（ｉ）方向が鍵盤（１３）の鍵配列方向（Ｋ）に一致し、列（ｊ）方向が鍵盤（１３）の鍵配列方向（Ｋ）と直交する方向に一致するように、行列状に配置された複数（ｍｎ）の表示要素（Ｄｉｊ：１≦ｉ≦ｍ，１≦ｊ≦ｎ）から成る面状表示器（１６）とを具備するコンピュータ（電子楽器）に、鍵盤（１３）に関連するパラメータ（鍵域パラメータ）を設定するパラメータ設定ステップ（Ｓ２）と、パラメータ設定ステップ（Ｓ２）で設定されたパラメータを面状表示器（１６）上にグラフィック図形で表示する表示ステップ（Ｓ３）とから成る手順を実行させるパラメータ設定表示プログラム〔請求項３〕が提供される。なお、括弧書きは、理解の便のために付記した実施例の対応する参照記号や用語等を表わす。
【０００６】
この発明による電子楽器においては、表示手段（Ｓ２）は、面状表示器（１３）上においてグラフィック図形が表示されていない空き表示領域（例えば、ｉ＝１０〜１２）に、当該グラフィック図形で表わされるパラメータに関する情報を文字及び／又は数字図形で表示する（例えば、図３〔ａ〕）〔請求項２〕ように構成することができる。
【発明の効果】
【０００７】
この発明による電子楽器では、ＬＥＤ素子などで構成される複数（ｍｎ）の表示要素（Ｄｉｊ：１≦ｉ≦ｍ，１≦ｊ≦ｎ）が行列状に配置された面状表示器（１６）が鍵盤（１３）の近傍に配置される。面状表示器（１６）における表示要素配列については、行（ｉ）方向が鍵盤（１３）の鍵配列方向（Ｋ）に一致し、列（ｊ）方向が鍵盤（１３）の鍵配列方向（Ｋ）と直交する方向に一致しており、表示要素（Ｄｉｊ）は、各列が鍵盤（１３）の各鍵（Ｃ１〜Ｃ６）に整列するように、鍵盤（１３）の全鍵域（Ｃ１〜Ｃ６：鍵数＝ｎ）にわたって配置される。鍵域分割パラメータやキースケーリングパラメータなどの鍵盤（１３）の鍵域に関連する各種鍵域パラメータが設定されると（Ｓ２）、設定された鍵域パラメータは面状表示器（１６）上にグラフィック図形で表示される（Ｓ３）。
【０００８】
従って、この発明によると、鍵盤の近傍に全鍵域にわたって設けられた面状表示器上に、鍵盤に関連して設定された各種鍵域パラメータをグラフィック図形で表示して、鍵域パラメータの表示を鍵盤に直接的に対応させるようにし而も表示情報量を多くしているので、鍵域パラメータと鍵盤との対応関係が把握し易くなり、鍵域パラメータを分かり易く表示することができる。また、設定された鍵域パラメータをユーザが容易に確認することができるだけでなく、鍵域パラメータを新たに設定する際には、鍵盤操作により指定されるパラメータ設定鍵域を鍵盤近傍の面状表示器で確認しながら、鍵域パラメータを作成乃至編集することができる。
【０００９】
また、この発明による電子楽器においては、更に、グラフィック図形表示部分以外の空き表示領域に各種鍵域パラメータに関する設定情報を文字や数字などの表意図形でも表示することができるようにしているので（例えば、図３〔ａ〕）、鍵盤に関連して現在設定されている各種鍵域パラメータの内容が更に分かり易くなる。
【発明を実施するための最良の形態】
【００１０】
〔システムの概要〕
図１は、この発明の一実施例による電子楽器のハードウエア構成ブロック図を示す。この電子楽器は、音楽情報処理機能を有する一種のコンピュータであり、中央処理装置（ＣＰＵ）１、ランダムアクセスメモリ（ＲＡＭ）２、読出専用メモリ（ＲＯＭ）３、外部記憶装置４、演奏操作検出回路５、設定操作検出回路６、表示回路７、音源回路８、効果回路９、ＭＩＤＩインターフェース（Ｉ／Ｆ）１０、通信インターフェース（Ｉ／Ｆ）１１などを備え、これらの要素１〜１１はバス１２を介して互いに接続される。
【００１１】
ＣＰＵ１は、所定の制御プログラムに従い、タイマによるクロックを利用してパラメータ設定表示処理を含む種々の音楽情報処理を実行する。ＲＡＭ２は、これらの処理に際して必要な各種データを一時記憶するためのワーク領域として用いられる。また、ＲＯＭ３には、これらの処理を実行するために、パラメータ設定表示プログラムを含む各種制御プログラムやプリセットされた各種鍵域パラメータ、演奏データ等が予め記憶される。
【００１２】
なお、「鍵域パラメータ」は、楽音信号の生成に用いられる楽音制御用パラメータのうち鍵盤の鍵域（１鍵を含む）に関連して設定可能なパラメータを意味し、鍵盤を複数の鍵域に分割して各鍵域に所定音色を割り当てる「鍵域分割パラメータ」や、タッチカーブ、フィルタ、音量、チューニングなどの楽音制御用パラメータのキースケーリング状態を表わす「キースケーリングパラメータ」などがある。
【００１３】
外部記憶装置４は、ハードディスク（ＨＤ）等の内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含み、任意の外部記憶装置４に任意のデータを記憶することができる。例えば、新たに取得された各種鍵域パラメータや演奏データを任意の記憶媒体に記憶しておき、パラメータの設定・表示や自動伴奏などに利用することができる。
【００１４】
演奏操作検出回路５は、鍵盤を含む演奏操作子１３の操作内容を検出し、設定操作検出回路７は、スイッチやダイヤル、マウス等の設定操作子（パネル操作子）１４の操作内容を検出し、それぞれ、検出内容に対応する情報をシステム本体に導入する。例えば、設定操作子１４には、パラメータ設定スイッチ、複数の鍵域分割指定スイッチ、「＋」及び「−」のスケーリング指定スイッチなどが含まれ（何れも図示せず）、鍵域パラメータ設定の際に、鍵盤操作による鍵域の指定に合わせてこれらの指定スイッチを操作することにより、所望の鍵域分割パラメータやキースケーリングパラメータを作成することができる。
【００１５】
表示回路７は、鍵域パラメータ設定画面を含む各種画面を表示するＬＣＤ等のディスプレイ１５や、鍵盤１３の近傍に設けられＬＥＤ等の表示素子から成る面状表示器１６、その他の各種インジケータ（図示せず）を備え、これらの表示・点灯内容をＣＰＵ１からの指令に従って制御し、操作子１３，１４の操作に対する表示援助を行う。例えば、鍵域パラメータ設定などの際には、鍵盤１３に関連する各種鍵域パラメータを面状表示器１６に表示することができる。
【００１６】
音源回路８は、鍵盤１３の演奏操作に基いて操作鍵に対応する楽音信号を生成し、効果回路９は、効果付与ＤＳＰを有し、音源回路８からの楽音信号に効果を付与し、何れの回路もソフトウエアを含ませることができる。両回路８，９は、楽音信号生成部を構成し、設定された鍵域パラメータを含む種々の楽音制御パラメータに基づく楽音信号を生成する。また、この楽音信号生成部８，９は、記憶手段３，４に記憶された演奏データに基づいて自動伴奏の楽音信号を生成することもできる。効果回路９に後置されたサウンドシステム１は、Ｄ／Ａ変換部やアンプ、スピーカを備え、効果回路９からの楽音信号に基づく楽音を発生する。
【００１７】
また、ＭＩＤＩＩ／Ｆ１０には他のＭＩＤＩ音楽機器３０が接続され、他の音楽機器３０との間でＭＩＤＩ演奏データを授受し、この電子楽器で利用することができる。また、通信Ｉ／Ｆ１１には、インターネットやローカルエリアネットワーク（ＬＡＮ）などの通信ネットワーク４０が接続され、外部のサーバコンピュータ５０等から制御プログラムや各種データ等を受信し外部記憶装置４に保存することができる。
【００１８】
〔面状表示器の構成と鍵域パラメータの設定表示〕
この発明の一実施例による電子楽器においては、鍵盤の鍵域に対応して設定された各種鍵域パラメータを表示するために、多数のＬＥＤ表示素子を面状に配列して構成された面状表示器が鍵盤に近接して設けられ、パラメータ設定表示プログラムに従って、鍵盤に関連して各種パラメータを設定し、設定された各種パラメータを面状表示器に図形表示することができる。図２は、この発明の一実施例によるパラメータ設定表示処理の一例を示すフローチャートであり、図３は、この発明の一実施例による電子楽器における面状表示器及び表示例を示す。
【００１９】
電子楽器において楽音信号の生成に用いられるパラメータには、鍵盤１３の鍵域（１鍵を含む）に応じて設定される鍵域パラメータがある。例えば、鍵域分割パラメータは、鍵盤１３を２以上の鍵域に分割して各鍵域に音色などのパラメータを割り当てるのに用いられる。また、タッチカーブ、フィルタ、音量、チューニング等の各種パラメータは、鍵域に拘わらず鍵盤１３の全ての鍵に一律に設定することもあるが、鍵域によってレートやレベルを変化するように設定して豊かな音楽表現を行うようにする場合が多い。このように鍵域によってパラメータ値を変化させることはキースケーリングと呼ばれ、キースケーリングにより設定されるこれらのパラメータはキースケーリングパラメータと呼ばれる。この電子楽器では、鍵盤に近接配置された面状表示器を用いてこのような鍵域パラメータを分かり易く表示することができる。
【００２０】
まず、図３により面状表示器１６の構成例を説明する。面状表示器１６は、鍵盤１３近傍の前面パネルに配置され、黒塗り乃至白抜きの楕円で図示される多数の表示素子Ｄ１１，Ｄ１２，…，Ｄｍｎが行列状に配列されて成り、ｍ行ｎ列の表示素子Ｄｉｊ（１≦ｉ≦ｍ，１≦ｊ≦ｎ）から成る面状表示体を構成する。面状表示体の表示要素として機能する各表示素子Ｄｉｊは、例えば、ＬＥＤ素子で構成され、図３においては、オフ（消灯）している状態が白抜きの図柄で示され、オン（点灯）していることが黒塗りで示される。
【００２１】
面状表示器１６には鍵盤１３の全鍵域にわたってＬＥＤ表示素子Ｄｉｊが行列状に設けられる。表示素子Ｄｉｊの列位置ｊは、鍵盤１３の各鍵に対応して整列しており、この例では、鍵配列方向Ｋに沿って鍵盤１３の総鍵数ｎに等しいｎ個のＬＥＤ素子が設けられる。表示素子Ｄｉｊの行位置ｉは鍵盤１３の鍵配列方向Ｋと直交する方向に配列され、この鍵配列直交方向に各鍵当りｍ個のＬＥＤ素子が設けられる。図示の例では、電子楽器の鍵盤１３は「Ｃ１」〜「Ｃ６」鍵の６１鍵を備えており、表示要素の列数ｎ＝６１である。また、各鍵当り１２個のＬＥＤが設けられており、表示要素の行数ｍ＝１２である。
【００２２】
図３〔ａ〕のパラメータ表示例１は、鍵盤１３に対する鍵域分割パラメータを表示する場合の表示例を示す。この場合は、面状表示器１６のＬＥＤ表示素子Ｄｉｊのうち下側３段〔ｉ＝１０〜１２（＝ｍ）〕を用いて、鍵域分割の状態を段階状の図形でグラフィックに表示する。例えば、鍵盤１３が上下２つの鍵域に分割されるように設定されているときは、最下段のＬＥＤ〔ｉ＝１２（＝ｍ）〕のオン（点灯）によって、対応する鍵が下鍵域として設定されていることを表わし、下から３段目のＬＥＤ〔ｉ＝１０〕のオン（点灯）によって、対応する鍵が上鍵域に設定されていることを表わす。
【００２３】
図示の例では、鍵盤１３が「Ｃ３」鍵を分割点（スプリットポイント：高音高側鍵域の最低音高鍵）として上下２つの鍵域に分割され、最下段〔ｉ＝１２（＝ｍ）〕のうちｊ＝１〜２４のＬＥＤ表示素子Ｄｉｊをオンすることにより、対応する「Ｃ１」〜「Ｂ２」鍵に下鍵域が設定されていることをユーザに知らせ、また、下から３段目のＬＥＤ〔ｉ＝１０〕のうちｊ＝２５〜６１（＝ｎ）のＬＥＤ表示素子Ｄｉｊをオンすることにより、対応する「Ｃ３」〜「Ｃ６」鍵に上鍵域が設定されていることをユーザに知らせる。
【００２４】
また、鍵盤１３が上中下の３鍵域に分割されるように設定されているときは、２分割のときと同様に、最下段及び下から３段目のＬＥＤのオンで下鍵域及び上鍵域を夫々表示すると共に、下から２段目のＬＥＤ〔ｉ＝１１〕のオン（点灯）によって、対応する鍵が中鍵域に設定されていることを表わすことができる。
【００２５】
図３〔ａ〕のように鍵域分割パラメータを表示する場合には、上８段のＬＥＤ〔ｉ＝１〜８〕により、各鍵域を夫々表示する各段図形に対応する上部の位置に、各鍵域に指定されている音色が何であるかを表わす情報を文字や数字などの表意図形で表示することができる。図示の例では、下鍵域及び上鍵域に夫々ベース音色及びピアノ音色が設定されているので、この設定状態がアルファベットで「ＢＡＳＳ」及び「ＰＩＡＮＯ」と表示される。この場合、下から４段目〔ｉ＝９〕のＬＥＤ表示素子Ｄ９ｊ〔ｊ＝１〜６１（＝ｎ）〕は表示に使用しないで「常時オフ」とすることにより、上８段ＬＥＤによる音色の文字・数字表示を下３段ＬＥＤ〔ｉ＝１０〜１２〕による鍵域のグラフィック表示と明確に分離することができる。
【００２６】
このように、複数段（３行）のＬＥＤにより階段状のグラフィック図形で鍵域分割の状態を表示すると、下鍵域についてはＬＥＤも最下段のものが点灯し、中鍵域乃至上鍵域についてはＬＥＤもその上の（下から２，３段目）のものが点灯して、上鍵域、中鍵域乃至上鍵域に応じて各鍵域を表示するＬＥＤの段のイメージが対応するので、従来技術のように１段のＬＥＤで鍵域表示するものに比べて情報量が豊富になり、各鍵域がどの状態であるかが分かり易くなる。また、ＬＥＤの配置が鍵盤１３の全鍵域にわたっているので、各鍵域に対して指定されているパラメータ機能を表わす文字・数字も大きく分かり易く表示することができる。
【００２７】
なお、分割した鍵域には、上述のように通常の鍵盤演奏の音色を割り当てるものに限らず、他のパラメータ機能を割り当ててもよい。例えば、分割した鍵域に自動伴奏の和音指定機能を割り当てることができる。この場合は、和音指定機能が割り当てられている旨を文字や数字で表示してもよいし、和音指定モードが複数あるときには何れのモードかを表示するようにしてもよい。或いは、分割した鍵域にアルペジオ演奏機能を割りてることもでき、その場合には、アルペジオ演奏機能が割り当てられている旨を文字や数字で表示してもよいし、アルペジオ演奏のモードやパターン種類が複数あるときには何れのモードやパターンであるかを表示するようにしてもよい。
【００２８】
領域の分割点（キースプリットポイント）の指定方法としては、所定の領域分割指定スイッチ（例えば、下鍵域分割指定スイッチ）を押しながら、分割位置としたい鍵（例えば、図示の例では「Ｃ３」鍵）を操作する方法を用いることができる。この場合、３つの領域に分割するときは、下鍵域分割指定スイッチ及び中鍵域分割指定スイッチをそれぞれ同様に操作すればよい。
【００２９】
また、別の分割点指定方法としては、分割指定スイッチを押しながら、「＋」又は「−」スイッチやダイヤル等を鍵位置指定手段として用い、これを操作して分割位置を指定する方法を採用してもよい。或いは、上述のように分割指定スイッチを押しながら別操作をするのではなく、一旦、分割指定スイッチを分割指定モード指定手段として用い、これを操作して分割指定モードにした後で鍵やスイッチ等による分割位置指定操作を行うようにし、別途設けたＥＸＩＴスイッチを操作するまで当該分割指定モードを保持するようにしてもよい。また、これら以外の方法により分割点を指定してもよい。
【００３０】
図３〔ｂ〕のパラメータ表示例２は、キースケーリングパラメータを表示する場合の表示例を示す。この場合は、面状表示器１６の全てのＬＥＤ表示素子Ｄｉｊ〔ｉ＝１〜１２（＝ｍ），ｊ＝１〜６２（＝ｎ）〕を用いて、楽音信号の生成に用いられるタッチカーブ、フィルタ、音量、チューニング等の各種パラメータに対するキースケーリングの状態を１２段階のレベルに区分してグラフィックに表わすことができる。図示の例は、フィルタ特性を表わすパラメータのキースケーリング状態を示しており、鍵域に応じて低域フィルタのカットオフ周波数が変化する様子を折れ線状のグラフ図形で表わしている。
【００３１】
キースケーリング状態の指定方法としては、ユーザが所定のスケーリング指定スイッチを押しながら、パラメータの値を変更したい鍵を操作する方法が用いられる。例えば、「＋」指定スイッチを押しながら任意の鍵を操作すると、当該鍵に対応したスケーリング値が増加し、「−」指定スイッチを押しながら任意の鍵を操作すると、当該鍵に対応したスケーリング値が減少するようにする。この場合、鍵操作で指定された２つの鍵盤位置をスケーリングカーブのブレイクポイント（折れ点）とし、「＋」又は「−」指定スイッチの操作で設定されたスケーリング値をもつ２つのブレイクポイントを任意の直線又は曲線で結ぶ操作を行うことによって、各鍵毎のスケーリング値指定操作を省略し、両ブレイクポイントが直線又は曲線で結ばれたスケーリングカーブを得ることができる。また、他の方法でスケーリング状態を設定してもよい。
【００３２】
なお、図３〔ｂ〕のように折れ線状のグラフィック図形でキースケーリングパラメータを表示する場合、面状表示器１６においてグラフィック図形が表示されない空き表示領域に、必要に応じて、当該グラフィック図形が表示しているパラメータに関する情報を文字や数字などの表意図形（例えば、図３〔ｂ〕では、「フィルタ」やその略号「ＦＬ」など）を表示するようにしてもよい。
【００３３】
ここで、この発明の一実施例による電子楽器の特徴を簡単にまとめると、次のとおりである。この電子楽器では、鍵盤１３の近傍に、ＬＥＤ素子などで構成される複数の表示要素Ｄｉｊ（１≦ｉ≦ｍ，１≦ｊ≦ｎ）を、鍵盤１３の全鍵域Ｃ１〜Ｃ６（鍵数ｎ）にわたって、行列状に配置した面状表示器１６が設けられる。行列状配置の行（ｉ）方向は鍵盤１３の鍵配列方向Ｋに一致し、列（ｊ）方向は鍵配列方向Ｋと直交する方向に一致しており、各列（ｊ）の表示要素Ｄｉｊは鍵盤１３の各鍵Ｃ１〜Ｃ６に整列している。鍵域分割パラメータ〔ａ〕やキースケーリングパラメータ〔ｂ〕などの鍵盤１３の鍵域に関連する各種鍵域パラメータが設定されると、設定された鍵域パラメータは面状表示器１６上にグラフィック図形で表示される。また、グラフィック図形表示部分以外の空き表示領域には、併せて、当該鍵域パラメータに関する情報を文字及び／又は数字などの表意図形で表示することもできる。例えば、図３〔ａ〕では、鍵域分割パラメータによる上下鍵域が下３行〔ｉ＝１０〜１２〕の部分に表示され、上下鍵域に割当て設定されている音色「ベース」及び「ピアノ」が上８行〔ｉ＝１〜８〕の表示領域に表示される。
【００３４】
次に、図２に示される処理フローによりパラメータ設定表示の手順を簡単に説明する。まず、設定操作子１４中のパラメータ設定スイッチがユーザにより操作されると、ステップＳ１のパラメータ設定モードに入り、ＣＰＵ１は、鍵域に応じて設定可能な各種鍵域パラメータの名称をディスプレイ１５のパラメータ設定画面に一覧表示する。これに対して所望鍵域パラメータの名称を指示するユーザ操作が行われると、ステップＳ２に進み、指示された名称で指定される鍵域パラメータをＲＯＭ３又は外部記憶装置４からＲＡＭ２上に読み出して、当該鍵域パラメータの設定を行う。
【００３５】
ステップＳ２でのパラメータ設定には、読み出された鍵域パラメータの内容や機能を説明する情報（パラメータ情報という）をパラメータ設定画面に表示してユーザにパラメータを確認させるだけの場合もあり、さらに、当該鍵域パラメータの編集を行う場合もある。また、鍵域パラメータの編集には、パラメータ情報の修正（変更）や当該鍵域パラメータの内容の修正（変更）が含まれる。
【００３６】
なお、鍵域パラメータの内容を修正する場合には、既に説明した方法により、ユーザ操作に応じて当該鍵域パラメータの内容を修正・変更することができる。例えば、鍵域分割パラメータについては、ユーザは、各鍵域に割り当てたい音色を指定する操作を行った上、分割指定スイッチを操作しつつ、分割点となる鍵を操作することにより、鍵域分割ポイントを修正することができる。また、キースケーリングパラメータについては、「＋」又は「−」のスケーリング指定スイッチを操作しながら鍵を操作することで、キースケーリングの状態を修正することができる。
【００３７】
次のステップＳ３のパラメータ表示段階では、現在設定の対象となっている鍵域パラメータの内容を面状表示器１６に表示する。例えば、パラメータを確認するだけの場合或いはパラメータ情報のみを編集する場合は、読み出された鍵域パラメータの内容をそのままグラフィック乃至文字・数字図形で表示する。また、パラメータ内容を編集する場合には、現在編集中の鍵域パラメータの内容を同様の図形で表示する。
【００３８】
例えば、鍵域分割パラメータの内容を編集しているときは、操作された鍵を分割点として鍵盤１３の鍵域分割が指定されるので、図３〔ａ〕のように、面状表示器１６の下３段〔ｉ＝１０〜１１〕のＬＥＤにより、この鍵域分割に対応する階段図形をグラフィックに表示し、上８段〔ｉ＝１〜８〕のＬＥＤにより、階段図形の各鍵域に指定されている音色を文字・数字図形で表示する。また、キースケーリングパラメータの内容を編集しているときには、操作された鍵に「＋」又は「−」のスケーリング指定スイッチの操作量に応じたスケーリング値が指定されるので、図３〔ｂ〕のように、面状表示器１６のＬＥＤのうち、設定されたスケーリング値に対応するＬＥＤをオンして当該スケーリングパラメータをグラフ状図形で表示する。
【００３９】
続くステップＳ４では、ＯＫスイッチが操作されたか否かを検出し、ユーザ所望の設定がなされておらずＯＫスイッチが操作されないときは（Ｓ４→ＮＯ）、ステップＳ２のパラメータ設定段階に戻り、指定された鍵域パラメータについてステップＳ２，Ｓ３のパラメータ設定（編集）及び表示処理を繰り返す。
【００４０】
このようにして、ユーザが、ステップＳ２，Ｓ３におけるディスプレイ１５や面状表示器１６の表示内容から当該鍵域パラメータに所望の設定がなされていることをユーザが確認し、これを了解したとしてＯＫスイッチを操作したときは（Ｓ４→ＹＥＳ）、当該鍵域パラメータについて必要な事後処理を行う。例えば、鍵域パラメータを表示するだけ（編集なし）の場合には、必要に応じて当該鍵域パラメータを楽音信号生成部８，９にセットする。また、パラメータの編集により新たな鍵域パラメータが作成された場合には、必要に応じて、編集後の新たな鍵域パラメータを外部記憶装置４に保存したり、当該鍵域パラメータを楽音信号生成部８，９にセットする。そして、必要な事後処理を行った後、ステップＳ５に進む。
【００４１】
ステップＳ５では、設定完了スイッチが操作されたか否かを検出し、ユーザが設定したい次の鍵域パラメータがあって設定完了スイッチが操作されないときは（Ｓ５→ＮＯ）、ステップＳ６に進む。ステップＳ６では、ユーザ操作に従って次のパラメータを指定し、次いで、ステップＳ２に戻り、次の鍵域パラメータについてステップＳ２〜Ｓ４のパラメータ設定、表示及び了解判定の処理を繰り返し、各鍵域パラメータの了解（Ｓ４→ＹＥＳ）毎に必要な事後処理を行う。
【００４２】
そして、設定すべき全ての鍵域パラメータの設定内容をユーザが確認し、必要な事後処理を経て、設定完了スイッチが操作されたときに（Ｓ５→ＹＥＳ）、このパラメータ設定表示処理を終了する。
【００４３】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、面状表示器の構造については、鍵盤の全鍵域を超える範囲（ｊ＞ｎ）に表示要素を配置してもよい。さらに、この範囲（ｊ＞ｎ）を含む表示領域を、文字・数字を表示するための空き表示領域としてもよい。
【００４４】
面状表示器の表示内容については、鍵域パラメータの表示だけでなく、他の表示にも共用することができる。例えば、演奏ガイドモード時には演奏ガイド表示をさせ、鍵盤とは関連しないパラメータ設定時には該パラメータを表示させる。
【００４５】
また、面状表示器に表示する鍵域パラメータの種類は、実施例で例示したものに限らず、鍵域に応じて設定される任意のパラメータを含む。また、パラメータをグラフィックに表わすグラフ状図形と、文字や数字のような表意図形とを、例えば、色、明るさ、連続点灯／点滅などの異なる表示態様により、表示してもよい。
【００４６】
さらに、面状表示器（１６）に加えて、操作パネル上のＬＣＤ等（１５）に、面状表示器と同様の内容を縮小表示或いは簡略表示してもよい。また、スイッチ機能を兼備するＬＥＤ素子やタッチパネル付きのＬＣＤ等で面状表示器を構成し、面状表示器上での指定操作に応じてパラメータ値の設定を行うようにしてもよい。なお、ＬＣＤで面状表示器を構成する場合、各表示要素は、複数の小さな画素の集まりでもよいし、大きな１つの画素でもよく、必ずしも画素とは一致しない。また、複数枚のＬＣＤパネルで面状表示器を構成するのが実用的である。
【００４７】
また、面状表示器として、ｍ＝１２、ｎ＝鍵数（６１）のものに限らず、ｍは１２より多くても少なくてもよいし（ただし、図形表示を可能とするため、最低でも２以上）、ｎも鍵数より多くてもよい。例えば、各鍵に対して２列以上の表示素子を設けることにより、鍵域パラメータ図形や文字・数字等の表意図形の表示解像度を上げることができ、より見易い表示となる。また、ＬＥＤやＬＣＤ以外の表示器で構成してもよい。
【図面の簡単な説明】
【００４８】
【図１】この発明の一実施例による電子楽器のハードウエア構成ブロック図である。
【図２】この発明の一実施例によるパラメータ設定表示処理の手順を表わすフローチャートである。
【図３】この発明の一実施例による面状表示器及びそのパラメータ表示例を表わす図である。
【符号の説明】
【００４９】
１６  面状表示器、
Ｄ１１〜Ｄｍｎ；Ｄｉｊ（１≦ｉ≦ｍ，１≦ｊ≦ｎ）  ＬＥＤ等の表示素子（要素）、
Ｋ  鍵盤１３の鍵配列方向。
【図１】
2006267686.tif 000003
【図２】
2006267686.tif 000004
【図３】
2006267686.tif 000005